(57)【要約】【課題】特定のコミュニテイ、組織に密着した文字情報配信ネットワークを容易に構築、また配信された文字情報を受信者が煩雑な操作を必要とせず該文字情報を読むことを可能とする。該文字情報配信ネットワーク外からも該文字情報の受信及び配信を可能とする【解決手段】通信ネットワーク２をコミュニテイ内に構築し、文字情報配信者（配信者）は文字情報を作成、編集、サーバ機能を持った一台の文字情報配信装置１を該通信ネットワークに接続する。該文字情報受信者（受信者）は用意された数種類の文字情報受信端末機３（受信端末機）より受信者が最適とする機能を持った受信端末機１〜３を選択し該通信ネットワークに接続、あらかじめ設定された受信者アドレス該文字情報を受信、表示する。該文字情報配信ネットワーク２外から参加する利用者は利用目的に合わせ域内参加者と同様の機能持った機器を用意し別の通信手段４を用い該ネットワークに接続する。【選択図】図１
2005182714.tif 000002
【特許請求の範囲】
【請求項１】
通信ネットワーク（２）に接続された複数の文字情報配信装置（１）から情報受信者が必要とする文字情報を文字情報受信端末機（３）より配信要求を行い文字情報の受信表示を行う。
予め（１）には（３）固有の端末機番号と（１）から配信してほしい分野の番号を登録しておく、また（３）には配信してほしい情報提供者の配信装置（１）の固有番号と配信してほしい情報分野の番号を記憶させ（１）サーバー内に格納されているメッセージのうち必要とする情報の配信を行う。またすべての情報受信者に必要な情報分野のメッッセージには番号を付与せず配信要求があった都度配信を行う。
（３）は配信された文字情報メッセージ番号を解析し過去表示を行ったメッセージで有れば表示を行わず廃棄する。
（２）域外からも（２）に接続可能な（４）通信ネットワークに（１）または（３）を接続し文字情報の配受信が可能な文字情報配信システム。
【請求項２】
（３）は（６）（７）（８）の受信文字情報の表示方法に３種あり利用者のニーズにより選択ができ、煩雑な操作を必要とせず文字情報受信ができる請求項１に記載の文字情報配信システム。
【発明の詳細な説明】
【技術分野】
【０００１】  本発明は特定のコミュニテイ、組織内で容易に文字情報（以下メッセージ）配信、表示を行う方法に関するものである。
【背景技術】
【０００２】  通信技術の飛躍的な進歩により通信ネットワークのブロードバンド化と情報収集端末として用いられているパソコン（ＰＣ）性能の向上により多種、多量の情報を居ながらにして迅速にえられるようになった。
メッセージ配信分野おいては組織内に構築されたイントラネット内メールサーバにメッセージを送信することにより配信することができる。また携帯電話の機能向上により個人的なメッセージ情報の交換が容易に行える。【０００３】  メッセージ情報を配信するための有効な手段も端末ＰＣ、携帯電話を操作できるスキルを持った利用者が集まる特定目的をもった組織、集団、個人に限られている。
域内メッセージ情報を配信する為有効な手段も、利用スキル、頻度の異なる特定コミュニテイ、組織、には容易に導入、有効活用しにくい面がある。
【発明の開示】
【発明が解決しようとする課題】
【０００４】  特定コミュニテイ構成員が一様にコミュニテイ内情報を取得できる手段紙面（新聞、広報、回覧、チラシ広告等）は迅速情報を伝達できない。電話、ファクシミリは手間がかかる。【０００５】  メッセージ配信者一日の単位時間を捉えた場合、情報量が極少量で機械化しにくい。【０００６】  特定コミュニテイ構成員全員が同じように煩わしい操作を必要とする受信端末機は使用できない。【０００７】  配信されたメッセージをパソコン等を活用した受信端末機でメッセージ表示する場合、メッセージの判読しにくい方法か（タスクバー表示）、現在実行している作業を中断しなければ表示できなく、結果として情報の誤認やリアルタイム性を損なう。【０００８】  特定コミュニテイと密接な関係を持ったメッセージ配信域外生活者が、詳細な域内情報を入手しにくい。
【課題を解決するための手段】
【０００９】  本発明の文字情報配信システムは情報配信者が各々メッセージ作成編集機能、あらかじめメッセージ配信要求登録をした複数のメッセージ受信者にメッセージの格納と配信を行うサーバー機能を有するパソコンを活用した文字情報配信装置と、通信ネットワークを介し配信者が用意した該メツセージを受信表示する複数のメッセージ受信者に設置された文字情報受信端末機から構成される文字情報配信システムです。
情報配信者が配信するメッセージにはメッセージ番号と受信者が必要とするメッセージ
カテゴリーを識別する複数の番号が付加されており、受信者が必要とするメッセージの配信を行います。（配信者メッセージにカテゴリー種別がない場合は０とする）
前記文字情報受信端末機には自己に割り当てられた受信端末機番号とメッセージ配信要求配信装置番号、メッセージカテゴリ番号を記憶する為の手段と前記文字情報配信装置から配信されたメッセージを受信するための受信機能、受信されたメッセージが自己あてのものであるかクライアント番号の確認、メッセージがあらかじめ登録したカテゴリーか判別を行う解析機能を持ちすべてが有効であった場合表示部にメッセージの表示を行い、無効であった場合は廃棄する。【００１０】  文字情報受信端末機３は前記受信端末機、機能を搭載したパソコンを活用した文字情報受信端末機１（ＰＣテロッパ）、テレビ受像機を文字情報表示機に活用する通信ネットワークと接続できる通信インターフェイスと該受信端末機能が搭載されテロップ方式で表示を行う文字情報受信端末機２（テロッパ）、該通信インターフェイスと該受信端末機能及び蛍光文字表示機が一体となった文字情報受信端末３（蛍光管表示機）の３種。
ＰＣテロッパは外部出力ポート（ＲＳ２３２Ｃ等）を搭載すれば外部に外部に表示専用の蛍光管表示機を接続することが可能。
テロッパ、表示機はあらかじめ任意に設定された間隔で文字情報の収集を行い表示のための操作を必要なく文字情報の表示を行う事ができる。
本システムの特徴は前記３種の文字表示機能を情報受信者用途に合わせ選択出来る事である。【００１１】  ＰＣテロツパには受信したメッセージをパソコンモニタに表示をするためテロップ方式と、ポッアップウインド方式の２方式あります。
テロップ方式は配信されたメッセージの表示を、パソコン上で実行している作業を中断することなく行います。又表示するバーサイズを可変することが可能でメッセージの判読が容易に行え、読みにくさを起因とした配信内容の誤認を防止することが可能。
ポッアップ方式はモニタ画面上にメッセセージを大きく静止した状態で表示を行います。
両方式共通した特長は受信したメッセージ信号の受信確認完了後即時にメッセージ表示を実行します。
【発明の効果】
【００１２】文字情報配信システムを構成する機器機能をメッセージの配信、受信表示に専用化して、利用者ニーズ単位に機器をまとめることにより小型化を図り文字情報ネットワーク導入が容易にできる。
情報の発信が行政、法人のみならずコミュニテイを構成する最小単位の個人まで可能になり地域生活に密着した情報の提供及び可能になりまた。煩雑な操作を必要とせず情報の取得ができる為コミュニテイ動向を構成員の多くが知ることができ地域の活性化を促す。【００１３】  あらかじめ広報などで知らされた行政イベント等を実施時期近傍で再度文字情報ネットワークで伝達し、地域自治の周知と構成員の自治参加と福祉の向上が期待できる。【００１４】  地域で発生した大きな事故に対する迅速な周知と構成員の対処行動（避難、待機）連絡が可能になり防災効果が向上できる。特に聴覚に障害をもった構成員に周知の手段として有効。【００１５】  地域気象情報を発信することにより早期の気象災害に対する対処が可能になり防災、霜害対策の実施による農業生産の向上効果。
【発明を実施するための最良の形態】
【００１６】  本文字情報配信ネッワーク上で文字情報配信を行う配信者毎に文字情報配信装置を設ける配信装置には、自己に割り当てられた固有番号を保有している。配信者からの文字情報の受信を希望する受信者はあらかじめ用意された３種類の文字情報受信端末機から受信者のニーズに合った機能の該文字情報受信端末機を選択し、この選択した受信端末機も自己に割り当てられた固有番号を保有している。
各々用意した機器を通信ネットワークに接続し文字情報配信ネットワークを構築する。
該ネットワーク域外から文字情報の配信または受信を行う利用者は利用目的に合った該文字情報配信装置、該文字情報受信端末機３種、のうちより機器を選択し該通信ネットワークに接続できる通信ネットワークに接続し文字情報の配信、受信を行う選択した機器にも自己に割り当てられた固有番号を保有している。【００１７】  文字情報配信装置は配信メッセージ番号を付加したメッセージを作成しメッセージファイルに収納する。あらかじめ配信登録の有った受信端末機番号と配信が必要なメッセージ番号を記載したクライアントファイルを作成する。作成した２つのファイルを一括サーバー部に転送する。【００１８】  文字情報受信端末機は予め定められた間隔、または必要なとき配信要求を行う。配信装置に自己の固有番号と配信装置固有番号を付加した配信要求メッセージを送出する。配信装置は信号を受信し自己の番号、登録された配信先受信端末番号を確認した後、配信装置はサーバー部クライアントファイルから受信端末番号と配信メッセージ番号が記載されたクライアントリストに受信端末番号を付加したメッセージを受信端末機に送出する。【００１９】  自己の固有番号であると確認した受信端末機はクライアントリストを解析し自己あての配信メッセージの存在を確認した後、配信装置サーバー部に収納されているクライアントリストに記載されているメッセージ番号のメッセージ取得を行う。取得後メッセージの表示可否の判定を行い表示有効と判断したとき表示部に表示を行う。否の場合は廃棄する。
【実施例１】
【００２０】  図１は、本発明システムの実施例でシステムの構成を示します。
１は各々の文字情報配信者に設置します文字情報配信装置を示します。２は文字情報の配受信を行うための通信ネットワークを示します。３は３種類の文字情報受信端末機（１〜３）を示し１はＰＣテロッパ、２はテロッパ、３は蛍光管表示機を示します。文字情報受信者が自己のニーズに合った機能の文字情報端末機を選択設置する。
本文字情報配信ネットワーク域外からネットワークに加入する場合４の通信ネットワークに、利用目的に合った１または３の機器を選択接続し４経由で２に接続し文字情報の配信または受信を行う。【００２１】  図２は文字情報配信装置機能構成を示します。５０４で図３図４図５のファイルを作成する。ファイルは一括５０２サーバー部に転送格納する。【００２２】  図６図７図８は図１、３の各々の機能構成を示します。
予め設定された（または任意）間隔でメッセージ配信要求配信装置番号と自己受信端末装置番号を付加した信号を通信インターフェイス部より送出します。
図１の配信装置は配信要求信号を図２、５０３で受信し自己装置番号と受信端末機番号を確認します。一致したら５０２サーバー部に収容されている図５クライアントファイルより配信要求元の受信端末機番号と指定された配信メッセージ番号が指定されたクライアントファイルに受信端末機番号、自己の配信装置番号を付加した信号を通信インターフェイスより送出します。【００２３】  受信端末機は前記配信された信号より受信端末機番号、配信装置番号を確認一致後配信された図５クライアントファイルに記載された指定されたメッセージ番号メッセージの配信要求信号を送出します。【００２４】  配信要求信号を受け付けた配信装置は図２、５０２サーバー部に格納されている図４メッセージファイルより指定された番号のメッセージファイルに受信端末番号、配信装置番号を付加した信号を配信します。【００２５】  配信信号を受信した受信端末機は自己あての配信信号か確認を行い、解析部にて過去表示済みメッセージかの判定を行い未表示メッセージであることを確認したらメッセージ表示を行う図６は７０４モニタ部、図７は８０４モニタインターフェイスを経由しテレビ受像機に、図８では９０４文字表示部にメッセージデータを送出メッセージ表示を行います。
【図面の簡単な説明】
【００２６】
【図１】文字情報配信システムの構成を示した説明図
【図２】文字情報配信装置機能構成を示した説明図
【図３】文字情報配信装置受信端末登録ファイル構成を示した説明図
【図４】文字情報配信装置メッセージファイル構成を示した説明図
【図５】文字情報配信装置クライアントファイル構成を示した説明図
【図６】文字情報受信端末機１の機能構成を示した説明図
【図７】文字情報受信端末機２の機能構成を示した説明図
【図８】文字情報受信端末機３の機能構成を示した説明図
【符号の説明】
【００２７】１  文字情報配信システム
２  域内通信ネットワーク
３  文字情報受信端末機
４  域外情報通信ネットワーク
５  文字情報配信装置
６  文字情報受信端末機１
７  文字情報受信端末機２
８  文字情報受信端末機３
【図１】
2005182714.tif 000003
【図２】
2005182714.tif 000004
【図３】
2005182714.tif 000005
【図４】
2005182714.tif 000006
【図５】
2005182714.tif 000007
【図６】
2005182714.tif 000008
【図７】
2005182714.tif 000009
【図８】
2005182714.tif 000010